【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
システムであって、
本体であって、前記本体は、
互いに絡み合わされている第１のランナおよび第２のランナと、
前記第１のランナの周囲に巻かれている第１の導体であって、前記第１の導体は、ツイスト導電性ワイヤの第１のペアを含み、前記ツイスト導電性ワイヤの第１のペアは、第１のワイヤと、第２のワイヤとを含む、第１の導体と、
前記第２のランナの周囲に巻かれている第２の導体であって、前記第２の導体は、ツイスト導電性ワイヤの第２のペアを含み、前記ツイスト導電性ワイヤの第２のペアは、第３のワイヤと、第４のワイヤとを含む、第２の導体と
を含む、本体と、
第１の交流電流を前記第１のワイヤに、第２の交流電流を前記第２のワイヤに、第３の交流電流を前記第３のワイヤに、および第４の交流電流を前記第４のワイヤに提供する１つ以上の電流源と
を備え、
前記第１の交流電流と前記第２の交流電流とは、前記第１のランナの周囲を反対方向に流れ、前記第３の交流電流と前記第４の交流電流とは、前記第２のランナの周囲を反対方向に流れ、前記システムは、提供されている前記第１の交流電流、前記第２の交流電流、前記第３の交流電流、および前記第４の交流電流に応答して、電磁効果を生成するように構成されている、システム。
【請求項２】
前記第１のランナおよび前記第２のランナは、二重螺旋の形状において互いの周囲に螺旋状に巻かれている、請求項１に記載のシステム。
【請求項３】
前記第１の交流電流および前記第２の交流電流は、第１の周波数を有し、前記第３の交流電流および前記第４の交流電流は、第２の周波数を有する、請求項１に記載のシステム。
【請求項４】
前記第１の周波数と前記第２の周波数とは、調和間隔を形成する、請求項３に記載のシステム。
【請求項５】
前記第２の周波数は、前記第１の周波数の倍数である、請求項３に記載のシステム。
【請求項６】
前記ツイスト導電性ワイヤの第１のペアは、少なくとも米国ワイヤゲージ規格（ＡＷＧ）２０の直径のマグネットワイヤを含む、請求項１に記載のシステム。
【請求項７】
前記ツイスト導電性ワイヤの第１のペアは、少なくとも１インチあたり１４４巻きに捩じられている、請求項１に記載のシステム。
【請求項８】
前記１つ以上の電流源は、多チャネルオーディオ増幅器に結合されている多チャネル関数ジェネレータを含み、前記多チャネルオーディオ増幅器は、前記多チャネルオーディオ増幅器の第１のチャネルが前記第１のワイヤおよび前記第２のワイヤに電気的に結合され、前記多チャネルオーディオ増幅器の第２のチャネルが前記第３のワイヤおよび前記第４のワイヤに電気的に結合されるように配置されている、請求項１に記載のシステム。
【請求項９】
前記システムは、前記本体に近接した対象に療法を提供するようにさらに構成され、前記療法は、前記生成される電磁効果を通して提供される、請求項１に記載のシステム。
【請求項１０】
前記システムは、前記システムの本体内またはその近くに配置されている生命有機体の成長を促進するようにさらに構成されている、請求項１に記載のシステム。
【請求項１１】
前記第１の周波数および第２の周波数は、０Ｈｚ〜２０ｋＨｚである、請求項３に記載のシステム。
【請求項１２】
前記第１の周波数および第２の周波数は、ヒトが知覚可能な聴覚感度の範囲内である、請求項３に記載のシステム。
【請求項１３】
前記対象の電気生理学的情報に関連する情報を伝達する出力信号を生成するように構成されているセンサをさらに備え、
前記１つ以上の電流源は、前記生成される出力信号に対応するように前記第１の交流電流、第２の交流電流、第３の交流電流、および第４の交流電流のうちの少なくとも１つを動的に制御するように構成されている、請求項９に記載のシステム。
【請求項１４】
前記電磁効果は、電磁場を含む、請求項１に記載のシステム。
【請求項１５】
前記提供される療法は、前記対象の周囲の赤外場と相互作用する、請求項９に記載のシステム。
【請求項１６】
前記提供される療法は、前記対象のエネルギーの流れと相互作用する、請求項９に記載のシステム。
【請求項１７】
１つ以上の物理プロセッサをさらに備え、前記１つ以上の物理プロセッサは、
１つ以上のデジタルオーディオファイルを含む情報を得ることと、
前記得られた情報を処理し、前記得られた情報に基づいて処理された信号を生成することと、
前記処理された信号に基づいて、音信号を生成することと
を行うようにコンピュータ読み取り可能な命令によって構成され、
前記１つ以上の電流源は、前記生成された音信号に対応するように前記第１の交流電流、前記第２の交流電流、前記第３の交流電流、および前記第４の交流電流のうちの少なくとも１つを動的に制御し、それによって、前記第１の周波数および前記第２の周波数のうちの少なくとも１つが前記生成された音信号のうちの１つ以上の周波数に対応するように構成されている、請求項３に記載のシステム。
【請求項１８】
電磁効果を提供するためのデバイスであって、前記デバイスは、
第１のランナ、第２のランナ、第１のワイヤ、第２のワイヤ、第３のワイヤ、および、第４のワイヤを備え、前記第１のワイヤおよび前記第２のワイヤは、ツイストワイヤの第１のペアを形成し、前記第３のワイヤおよび前記第４のワイヤは、ツイストワイヤの第２のペアを形成し、前記ツイストワイヤの第１のペアは、前記第１のランナの周囲に巻かれ、前記ツイストワイヤの第２のペアは、前記第２のランナの周囲に巻かれており、
第１の交流電流、第２の交流電流、第３の交流電流、および、第４の交流電流が電磁効果を生成するように、前記第１のワイヤは、それを通して前記第１の交流電流を誘発するように構成され、前記第２のワイヤは、それを通して前記第２の交流電流を誘発するように構成され、前記第３のワイヤは、それを通して前記第３の交流電流を誘発するように構成され、前記第４のワイヤは、それを通して前記第４の交流電流を誘発するように構成され、前記第１の交流電流と前記第２の交流電流とは、前記第１のランナの周囲を反対方向に流れ、前記第３の交流電流と第４の交流電流とは、前記第２のランナの周囲を反対方向に流れる、デバイス。
【請求項１９】
前記第１のランナおよび前記第２のランナは、二重螺旋の形状において互いの周囲に螺旋状に巻かれている、請求項１８に記載のデバイス。
【請求項２０】
前記第１の交流電流および前記第２の交流電流は、第１の周波数を有し、前記第３の交流電流および前記第４の交流電流は、第２の周波数を有する、請求項１８に記載のデバイス。
【請求項２１】
前記第１の周波数と前記第２の周波数とは、調和間隔を形成する、請求項２０に記載のデバイス。
【請求項２２】
前記第２の周波数は、前記第１の周波数の倍数である、請求項２０に記載のデバイス。
【請求項２３】
前記ツイスト導電性ワイヤの第１のペアは、少なくとも米国ワイヤゲージ規格（ＡＷＧ）２０の直径のマグネットワイヤを含む、請求項１８に記載のデバイス。
【請求項２４】
前記ツイスト導電性ワイヤの第１のペアは、少なくとも１インチあたり１４４巻きに捩じられている、請求項１８に記載のデバイス。
【請求項２５】
前記第１の交流電流および前記第２の交流電流の誘発は、多チャネルオーディオ増幅器の第１のチャネルによって実施され、前記第３の交流電流および前記第４の交流電流の誘発は、前記多チャネルオーディオ増幅器の第２のチャネルによって実施される、請求項１８に記載のデバイス。
【請求項２６】
前記本体に近接した対象に療法を提供するようにさらに構成され、前記療法は、前記生成される電磁効果を通して提供される、請求項１８に記載のデバイス。
【請求項２７】
システムの本体内またはその近くに配置されている生命有機体の成長を促進するようにさらに構成される、請求項１８に記載のデバイス。
【請求項２８】
前記第１の周波数および第２の周波数は、０Ｈｚ〜２０ｋＨｚである、請求項２０に記載のデバイス。
【請求項２９】
前記第１の周波数および第２の周波数は、ヒトが知覚可能な聴覚感度の範囲内である、請求項２０に記載のデバイス。
【請求項３０】
前記対象の電気生理学的情報に関連する情報を伝達する出力信号を生成するようにさらに構成され、
前記第１の交流電流、前記第２の交流電流、前記第３の交流電流、および前記第４の交流電流のうちの少なくとも１つは、前記生成される出力信号に対応するように動的に制御される、請求項２６に記載のデバイス。
【請求項３１】
前記電磁効果は、電磁場を含む、請求項１８に記載のデバイス。
【請求項３２】
前記提供される療法は、前記対象の周囲の赤外場と相互作用する、請求項２６に記載のデバイス。
【請求項３３】
前記提供される療法は、前記対象のエネルギーの流れと相互作用する、請求項２６に記載のデバイス。
【請求項３４】
１つ以上のデジタルオーディオファイルを含む情報を得ることと、
前記得られた情報を処理し、前記得られた情報に基づいて、処理された信号を生成することと、
前記処理された信号に基づいて、音信号を生成することと、
前記生成された音信号に対応するように前記第１の交流電流、前記第２の交流電流、前記第３の交流電流、および前記第４の交流電流のうちの少なくとも１つを動的に制御することと
をさらに行うように構成され、
それによって、前記第１の周波数および前記第２の周波数のうちの少なくとも１つが、前記生成された音信号のうちの１つ以上の周波数に対応する、請求項２０に記載のデバイス。
【手続補正２】
【補正対象書類名】明細書
【補正対象項目名】００３３
【補正方法】変更
【補正の内容】
【００３３】
本開示のこれらおよび他の目的、特徴、ならびに特性と、構造の関連構成要素および部分の組み合わせの動作の方法ならびに機能と、製造の経済性は、その全てが本明細書の一部を形成し、同様の参照番号が種々の図における対応する部分を指定する、付随の図面を参照して、以下の説明および添付される請求項を検討することによって、より明白となるであろう。しかしながら、図面は、例証および説明の目的にすぎず、任意の限定の定義として意図されないことを明示的に理解されたい。本明細書および本請求項において使用されるように、単数形「ａ」、「ａｎ」、および「ｔｈｅ」は、文脈によって明確に別様に示されない限り、複数指示物を含む。
本発明は、例えば、以下を提供する。
（項目１）
システムであって、
本体であって、前記本体は、
互いに絡み合わされている第１のランナおよび第２のランナと、
前記第１のランナの周囲に巻かれている第１の導体であって、前記第１の導体は、ツイスト導電性ワイヤの第１のペアを含み、前記ツイスト導電性ワイヤの第１のペアは、第１のワイヤと、第２のワイヤとを含む、第１の導体と、
前記第２のランナの周囲に巻かれている第２の導体であって、前記第２の導体は、ツイスト導電性ワイヤの第２のペアを含み、前記ツイスト導電性ワイヤの第２のペアは、第３のワイヤと、第４のワイヤとを含む、第２の導体と
を含む、本体と、
第１の交流電流を前記第１のワイヤに、第２の交流電流を前記第２のワイヤに、第３の交流電流を前記第３のワイヤに、および第４の交流電流を前記第４のワイヤに提供する１つ以上の電流源と
を備え、
前記第１の交流電流と前記第２の交流電流とは、前記第１のランナの周囲を反対方向に流れ、前記第３の交流電流と前記第４の交流電流とは、前記第２のランナの周囲を反対方向に流れ、前記システムは、提供されている前記第１、第２、第３、および第４の交流電流に応答して、電磁効果を生成するように構成されている、システム。
（項目２）
前記第１のランナおよび前記第２のランナは、二重螺旋の形状において互いの周囲に螺旋状に巻かれている、項目１に記載のシステム。
（項目３）
前記第１の交流電流および前記第２の交流電流は、第１の周波数を有し、前記第３の交流電流および前記第４の交流電流は、第２の周波数を有する、項目１に記載のシステム。
（項目４）
前記第１の周波数と前記第２の周波数とは、調和間隔を形成する、項目３に記載のシステム。
（項目５）
前記第２の周波数は、前記第１の周波数の倍数である、項目３に記載のシステム。
（項目６）
前記ツイスト導電性ワイヤの第１のペアは、少なくとも米国ワイヤゲージ規格（ＡＷＧ）２０の直径のマグネットワイヤを含む、項目１に記載のシステム。
（項目７）
前記ツイスト導電性ワイヤの第１のペアは、少なくとも１インチあたり１４４巻きに捩じられている、項目１に記載のシステム。
（項目８）
前記１つ以上の電流源は、多チャネルオーディオ増幅器に結合されている多チャネル関数ジェネレータを含み、前記多チャネルオーディオ増幅器は、前記多チャネルオーディオ増幅器の第１のチャネルが前記第１のワイヤおよび前記第２のワイヤに電気的に結合され、前記多チャネルオーディオ増幅器の第２のチャネルが前記第３のワイヤおよび前記第４のワイヤに電気的に結合されるように配置されている、項目１に記載のシステム。
（項目９）
前記システムは、前記本体に近接した対象に療法を提供するようにさらに構成され、前記療法は、前記生成される電磁効果を通して提供される、項目１に記載のシステム。
（項目１０）
前記システムは、前記システムの本体内またはその近くに配置されている生命有機体の成長を促進するようにさらに構成されている、項目１に記載のシステム。
（項目１１）
前記第１および第２の周波数は、０Ｈｚ〜２０ｋＨｚである、項目３に記載のシステム。
（項目１２）
前記第１および第２の周波数は、ヒトが知覚可能な聴覚感度の範囲内である、項目３に記載のシステム。
（項目１３）
前記対象の電気生理学的情報に関連する情報を伝達する出力信号を生成するように構成されているセンサをさらに備え、
前記１つ以上の電流源は、前記生成される出力信号に対応するように前記第１の交流電流、第２の交流電流、第３の交流電流、および第４の交流電流のうちの少なくとも１つを動的に制御するように構成されている、項目９に記載のシステム。
（項目１４）
前記電磁効果は、電磁場を含む、項目１に記載のシステム。
（項目１５）
前記提供される療法は、前記対象の周囲の赤外場と相互作用する、項目９に記載のシステム。
（項目１６）
前記提供される療法は、前記対象のエネルギーの流れと相互作用する、項目９に記載のシステム。
（項目１７）
１つ以上の物理プロセッサをさらに備え、前記１つ以上の物理プロセッサは、
１つ以上のデジタルオーディオファイルを含む情報を得ることと、
前記得られた情報を処理し、前記得られた情報に基づいて処理された信号を生成することと、
前記処理された信号に基づいて、音信号を生成することと
を行うようにコンピュータ読み取り可能な命令によって構成され、
前記１つ以上の電流源は、前記生成された音信号に対応するように前記第１の交流電流、前記第２の交流電流、前記第３の交流電流、および前記第４の交流電流のうちの少なくとも１つを動的に制御し、それによって、前記第１の周波数および前記第２の周波数のうちの少なくとも１つが前記生成された音信号のうちの１つ以上の周波数に対応するように構成されている、項目３に記載のシステム。
（項目１８）
電磁効果を提供する方法であって、前記方法は、
対象またはその近くにシステムを配置することであって、前記システムは、本体を含み、前記本体は、第１のランナと、第２のランナと、第１のワイヤと、第２のワイヤと、第３のワイヤと、第４のワイヤとを含み、前記第１のワイヤおよび前記第２のワイヤは、ツイストワイヤの第１のペアを形成し、前記第３のワイヤおよび前記第４のワイヤは、ツイストワイヤの第２のペアを形成し、前記ツイストワイヤの第１のペアは、前記第１のランナの周囲に巻かれ、前記ツイストワイヤの第２のペアは、前記第２のランナの周囲に巻かれている、ことと、
第１の交流電流、第２の交流電流、第３の交流電流、および第４の交流電流が、電磁効果を生成するように、前記第１のワイヤを通して前記第１の交流電流を、前記第２のワイヤを通して前記第２の交流電流を、前記第３のワイヤを通して前記第３の交流電流を、および前記第４のワイヤを通して前記第４の交流電流を誘発することと
を含み、
前記第１の交流電流と前記第２の交流電流とは、前記第１のランナの周囲を反対方向に流れ、前記第３の交流電流と第４の交流電流とは、前記第２のランナの周囲を反対方向に流れる、方法。
（項目１９）
前記システムを配置することは、二重螺旋の形状において互の周囲に前記第１のランナと前記第２のランナとを螺旋状に互いに絡み合わせることを含む、項目１８に記載の方法。
（項目２０）
前記第１の交流電流および前記第２の交流電流は、第１の周波数を有し、前記第３の交流電流および前記第４の交流電流は、第２の周波数を有する、項目１８に記載の方法。
（項目２１）
前記第１の周波数と前記第２の周波数とは、調和間隔を形成する、項目２０に記載の方法。
（項目２２）
前記第２の周波数は、前記第１の周波数の倍数である、項目２０に記載の方法。
（項目２３）
前記ツイスト導電性ワイヤの第１のペアは、少なくとも米国ワイヤゲージ規格（ＡＷＧ）２０の直径のマグネットワイヤを含む、項目１８に記載の方法。
（項目２４）
前記ツイスト導電性ワイヤの第１のペアは、少なくとも１インチあたり１４４巻きに捩じられている、項目１８に記載の方法。
（項目２５）
前記第１の交流電流および前記第２の交流電流を誘発することは、多チャネルオーディオ増幅器の第１のチャネルによって実施され、前記第３の交流電流および前記第４の交流電流を誘発することは、前記多チャネルオーディオ増幅器の第２のチャネルによって実施される、項目１８に記載の方法。
（項目２６）
前記本体に近接した対象に療法を提供することをさらに含み、前記療法は、前記生成される電磁効果を通して提供される、項目１８に記載の方法。
（項目２７）
前記システムの本体内またはその近くに配置されている生命有機体の成長を促進することをさらに含む、項目１８に記載の方法。
（項目２８）
前記第１および第２の周波数は、０Ｈｚ〜２０ｋＨｚである、項目２０に記載の方法。
（項目２９）
前記第１および第２の周波数は、ヒトが知覚可能な聴覚感度の範囲内である、項目２０に記載の方法。
（項目３０）
前記対象の電気生理学的情報に関連する情報を伝達する出力信号を生成することをさらに含み、
前記誘発することは、前記生成される出力信号に対応するように前記第１の交流電流、前記第２の交流電流、前記第３の交流電流、および前記第４の交流電流のうちの少なくとも１つを動的に制御することを含む、項目２６に記載の方法。
（項目３１）
前記電磁効果は、電磁場を含む、項目１８に記載の方法。
（項目３２）
前記療法を提供することは、前記対象の周囲の赤外場と相互作用する前記生成される電磁効果を含む、項目２６に記載の方法。
（項目３３）
前記療法を提供することは、前記対象のエネルギーの流れと相互作用する前記生成される電磁効果を含む、項目２６に記載の方法。
（項目３４）
１つ以上のデジタルオーディオファイルを含む情報を得ることと、
前記得られた情報を処理し、前記得られた情報に基づいて、処理された信号を生成することと、
前記処理された信号に基づいて、音信号を生成することと、
前記生成された音信号に対応するように前記第１の交流電流、前記第２の交流電流、前記第３の交流電流、および前記第４の交流電流のうちの少なくとも１つを動的に制御することと
をさらに含み、
それによって、前記第１の周波数および前記第２の周波数のうちの少なくとも１つが、前記生成された音信号のうちの１つ以上の周波数に対応する、項目２０に記載の方法。